(57)【特許請求の範囲】
【請求項１】
少なくとも１つの循環式コンベア、下布層、第１の固定液塗布装置、コロイド塗布装置及び第２の固定液塗布装置を備える湿式フィルムの製造設備であって、
前記少なくとも１つの循環式コンベアは、湿式フィルムを連続形成する作業面とされる少なくとも１つの循環式載置面を有し、前記循環式載置面は、上方に平坦面を有する上、搬送方向に沿って入口端から出口端の方向に循環移動し、前記循環式載置面と対向して前記第１の固定液塗布装置、コロイド塗布装置及び第２の固定液塗布装置が前記入口端から前記出口端の方向に沿って順番に設置され、
前記下布層は、前記載置面の表面上に設置される上、前記載置面と共に同期移動し、前記下布層が前記載置面と共に同期移動する過程において、前記下布層の上表面に各成膜材料が順番に載置されることにより、フィルムが連続して迅速に形成され、
前記第１の固定液塗布装置は、前記載置面と共に同期移動する前記下布層上に第１の固定液層を塗布して形成し、
前記コロイド塗布装置は、前記第１の固定液塗布装置の後方に設置され、前記第１の固定液層が前記下布層上に塗布された上、前記載置面と共に後方の前記コロイド塗布装置の作業範囲まで同期移動すると、前記コロイド塗布装置は、前記第１の固定液層上にコロイド層を塗布し、前記第１の固定液層は、前記下布層上において前記コロイド層と架橋を行って徐々に硬化し、
前記第２の固定液塗布装置は、前記コロイド塗布装置の後方に設置され、前記コロイド層が前記第１の固定液層上に塗布された上、前記下布層と共に後方の前記第２の固定液塗布装置の作業範囲まで同期移動すると、前記第２の固定液塗布装置は、前記コロイド層上に第２の固定液層を塗布し、前記第２の固定液層は、前記下布層上において前記コロイド層と架橋を行って徐々に硬化し、前記コロイド層が前記第１の固定液層及び前記第２の固定液層と架橋を行って徐々に硬化することにより、適当な厚さのフィルムが形成され、これにより、キャリア無しの湿式フィルムの連続成膜製造工程が構成され、
前記下布層は、前記循環式コンベアの循環式載置面上に固定設置され、前記循環式コンベアと共に同期循環回転することを特徴とする湿式フィルムの製造設備。
【請求項２】
少なくとも１つの循環式コンベア、下布層、第１の固定液塗布装置、コロイド塗布装置、上布層導入装置及び第２の固定液塗布装置を備える湿式フィルムの製造設備であって、
前記少なくとも１つの循環式コンベアは、湿式フィルムを連続形成する作業面とされる少なくとも１つの循環式載置面を有し、前記循環式載置面は、上方に平坦面を有する上、搬送方向に沿って入口端から出口端の方向に循環移動し、前記循環式載置面と対向して前記第１の固定液塗布装置、コロイド塗布装置、前記上布導入装置及び第２の固定液塗布装置が前記入口端から前記出口端の方向に沿って順番に設置され、
前記下布層は、前記載置面の表面上に設置される上、前記載置面と共に同期移動し、前記下布層が前記載置面と共に同期移動する過程において、前記下布層の上表面に各成膜材料が順番に載置されることにより、フィルムが連続して迅速に形成され、
前記第１の固定液塗布装置は、前記載置面と共に同期移動する前記下布層上に第１の固定液層を塗布して形成し、
前記コロイド塗布装置は、前記第１の固定液塗布装置の後方に設置され、前記第１の固定液層が前記下布層上に塗布された上、前記載置面と共に後方の前記コロイド塗布装置の作業範囲まで同期移動すると、前記コロイド塗布装置は、前記第１の固定液層上にコロイド層を塗布し、前記第１の固定液層は、前記下布層上において前記コロイド層と架橋を行って徐々に硬化し、
前記上布層導入装置は、前記コロイド塗布装置の後方に設置されて上布層を供給し、
前記第２の固定液塗布装置は、前記上布導入装置の後方に設置されて第２の固定液層を供給し、
前記コロイド塗布装置と前記第２の固定液塗布装置との間には前記上布層導入装置が設置され、
前記上布層導入装置によって前記上布層は、先ず前記コロイド層上に貼設され、次に前記上布層上には、前記第２の固定液塗布装置によって前記第２の固定液層が塗布され、前記コロイド層が前記第２の固定液層と架橋及び硬化を行うことにより、前記上布層は、前記第２の固定液層と前記コロイド層との間に挟設され、
これにより、前記下布層が後方に移動する過程において、前記下布層の表面上には、適当な厚さである上、前記上布層を含むフィルムが徐々に形成され、キャリア有りの湿式フィルムの連続成膜製造工程が構成され、
前記下布層は、前記循環式コンベアの循環式載置面上に固定設置され、前記循環式コンベアと共に同期循環回転することを特徴とする湿式フィルムの製造設備。
【請求項３】
前記循環式コンベアと共に同期循環回転する前記下布層の表面には、前記循環式載置面又は前記下布層上に成膜された後に残留する固定液又はコロイドを掻き取って洗浄するスクレーパが設置されることを特徴とする請求項１又は２に記載の湿式フィルムの製造設備。
【発明の詳細な説明】
【技術分野】
【０００１】
本発明は、湿式フィルムの連続成膜製造設備及びその成膜方法に関し、特に、少なくとも１つの循環式コンベアが使用されることにより、少なくとも１つの連続成膜用の載置面が構成され、載置面が下布層を支持して同期移動させ、下布層が搬送される過程において、下布層の上表面上に各成膜材料層が順番に塗布されることにより、フィルムが除々に形成され、これにより、湿式フィルムの連続成膜製造工程が完了する湿式フィルムの連続成膜製造設備及びその成膜方法に関する。
【背景技術】
【０００２】
本発明における成膜材料は、アルギン酸及びアルギン酸塩（ａｌｇｉｎａｔｅ）化合物を含む（これに限定されない）。アルギン酸（本発明においては、コロイドと称すが、これに限定されない）は、天然の高分子体であり、塩類化合物（本発明においては、第１の固定液及び第２の固定液と称すが、これに限定されない）中の金属イオンと共に各種のアルギン酸塩フィルム（本発明においては、フィルムと称すが、これに限定されない）を形成する。例えば、水溶性のアルギン酸ナトリウム（コロイド）は、塩類化合物（固定液）中の２価カルシウムイオンと架橋（ｃｒｏｓｓｌｉｎｋｉｎｇ）及び硬化（ｃｕｒｉｎｇ）が発生し、水に溶けないアルギン酸カルシウムフィルム（フィルム）が形成される。製造工程中、フィルムが適当な幅を有する連続式又は非連続式の帯状のフィルム（これに限定されない）である場合、後続の作業工程中、マスク裁断作業を含むことができる。例えば、カッターを使用し、帯状のフィルムをマスクの形状に裁断することにより、美容用の湿式マスクに応用される。本発明中のフィルムは、大部分が市場においてよく見られる顔部に貼るマスクに使用されるため、本発明中のフィルムは、マスクと称することができる。本発明においては、先ず、大面積のフィルムが製造され、次に、大面積のフィルムが所定のマスクの形状に裁断（例えば、打ち型を利用）される（これに限定されない）。
【０００３】
従来の湿式フィルム（マスク）に関連する技術としては、特許文献１〜特許文献２５などが存在する。しかし、特許文献１〜特許文献２５の技術的特徴は、湿式フィルムの組成成分又は各成分間の重量パーセント（ｗｔ％）の関係に重点が置かれており、湿式フィルムの量産化又はコスト低下に関する問題に対しては、有効な技術が開示されていない。
【０００４】
また、湿式フィルム（マスク）の使用態様に関し、従来の湿式フィルムは、キャリア有り又はキャリア無しの２種類に分類される。キャリア無しの湿式フィルムとは、使用時において、適当な厚さのフィルム（例えば、アルギン酸塩マスク）のみから構成される湿式フィルムを指す。キャリア有りの湿式フィルムとは、使用時において、適当な厚さのフィルムと不織布などのシート状のキャリアとが結合されて構成される湿式フィルムを指す。一般に、シート状のキャリアは、フィルム中に一体に結合されるため、分離できないか、分離しにくい。
【０００５】
一般によく見られる湿式フィルム（マスク）の包装形態に関して述べると、キャリア無し及びキャリア有りの湿式フィルムは、直接又は折り畳まれた後、所定の液体（例えば、保湿に用いられる食塩水又は美容効果を有するエッセンス）を含む密封包装袋内に入れられて密封される（これに限定されない）。ユーザは、使用時、包装袋を開封して湿式フィルムを取り出して使用する。キャリア無し又はキャリア有りの湿式フィルムは、柔軟で薄いシート構造であるため、製作（製造工程中の移動）又は包装（折り畳んだ後、密封包装袋内に入れて密封する）に都合がよい。また、ユーザは、密封包装袋から湿式フィルムを取り出して便利に使用（フィルムを展開し、顔部に貼る）することができる。キャリア無し又はキャリア有りの湿式フィルムは、少なくとも一方の面上に保護フィルムが貼設される。例えば、湿式フィルム（マスク）を支持し、包装又は折り畳んで包装袋に入れるのに便利なように、湿式フィルムの一方の面上には、光沢紙（これに限定されない）が貼設される。或いは、密封包装袋内の液体を浸透させ、フィルムを保湿するために、湿式フィルムの他方の面上には、不織布層（これに限定されない）が貼設される。ここで、本発明の実施形態中、上記の保護フィルムは、本発明のキャリア有りの湿式マスクにおけるシート状のキャリアではない。
【０００６】
従来の湿式フィルムの成膜製造設備又は成膜方法においては、以下（１）〜（３）に示す欠点を有する。
【０００７】
（１）湿式フィルムは、柔軟で薄いコロイドフィルムであり、製造工程又は裁断作業（マスクの形状に裁断する）の利便性を高めるため、本発明の発明者は、湿式フィルムを平坦な載置面又は下布層によって搬送し、搬送工程と同時にすべての成膜工程を完了することができれば、湿式フィルムの製造に大変有利であると考えた。しかし、従来技術においては、以上の構想が開示されてないため、湿式フィルムの製造工程の難度を高め、湿式フィルム（マスク）の発展に都合が悪い状況となっている。
【０００８】
（２）従来の成膜製造工程及び関連する製造設備について述べると、特許文献２４によっては、メーカーは、キャリア無し又はキャリア有りの湿式フィルムを連続して迅速に製造することができない。湿式フィルムの成膜製造工程は、コロイド（例えばアルギン酸）の塗布作業及び塗布作業に使用されるコロイド塗布装置（又は作業ステーション）と、固定液（例えば、塩類化合物）の塗布作業及び塗布作業に使用される固定液塗布装置（又は作業ステーション）と、上述の成膜材料であるコロイドと固定液とを所定程度まで架橋させる装置（又は作業ステーション）及び／又は架橋を中止させる中止装置（又は作業ステーション）と、を含む。これにより、適度な柔軟性を有する湿式フィルムが形成される。しかし、従来の製造設備は、成膜製造工程の構成上、効率が悪い。例えば、特許文献２４で開示される製造設備は、含浸コータ（ｉｍｐｒｅｇｎａｔｉｏｎ  ｃｏａｔｅｒ）及びグラビアコータ（ｇｒａｖｕｒｅ  ｃｏａｔｅｒ）の２つの主要な作業ステーションが別々に設置され、複数のホイール又はローラによる回転及び／又は牽引作用により、連続式支持用ベース材が上記２つの主要な作用ステーション領域を順番に通過し、連続式支持用ベース材の表面上において、塩類化合物（即ち、本発明中における固定液）及びアルギン酸（即ち、本発明中におけるコロイド）の塗布作業が別々に行われる。即ち、製造設備及び成膜製造工程中、支持用ベース材を載置する連続式コンベアが設けられないため、アルギン酸（コロイド）又は塩類化合物（固定液）などの各成膜材料を使用して支持用ベース材上において連続して迅速に成膜製造工程を行い、湿式マスクを完成させることができない。即ち、メーカーは、独立した複数の作業ステーション（特許文献２４の図２〜図４に示す別々に設置される含浸コータ及びグラビアコータの２つの主要な作業領域）を設置し、各独立した作業ステーション間に連結されて搬送を行う搬送装置（例えば、複数のローラ又はホイール）を設置しなければ、湿式フィルムの製造工程を実施することができない。このため、製造設備及び製造工程が煩雑となり（特許文献２４の図２〜図４参照）、占有される面積が大きい。このため、設備及び製造コストが増加する。また、成膜製造工程を連続して迅速に行うことができない。
【０００９】
（３）湿式フィルムは、主に、キャリア無し及びキャリア有りの２種類が存在するが、従来技術においては、同一の製造設備の基本装置を使用し、設備を置換したり、増設したりすることにより、キャリア無し又はキャリア有りの湿式フィルム（マスク）を選択的に製造することができない。即ち、本来キャリア無しの湿式フィルムを製造していたメーカーが、ユーザ又はクライアントからの要望に応じ、キャリア有りの湿式フィルムを製造する場合、キャリア無しの湿式フィルムを専門に製造する製造設備の設備を置換したり、増設したりすれば、キャリア有りの湿式フィルムを製造できるようになるわけではない。即ち、この場合、一般に、メーカーは、キャリア有りの湿式フィルムを専門に製造する製造設備を新たに設計する必要があるため、製造設備が浪費され、製造コストが上がり、使用空間が増え、フィルム（マスク）産業の競争に不利となる。
【００１０】
本発明の発明者の発見によると、キャリア有りの湿式フィルムの製造に使用される製造設備でも、キャリア無しの湿式フィルムの製造に使用される製造設備でも、湿式フィルム中の主要部分であるフィルム（例えば、アルギン酸塩類フィルム）を形成するために用いられる各基本装置（例えば、本発明中で開示される第１の固定液塗布装置、コロイド塗布装置、第２の固定液塗布装置など）の各作業ステーションの作業機能及び製造工程の構成は、一般に、同一又は類似する。即ち、各作業ステーションの作業機能は、共通性を有する。しかし、特許文献２４などの従来技術においては、キャリア有りの湿式マスク又はキャリア無しの湿式マスクの何れか１種類のみを製造するように設計されている。このため、メーカーがキャリア無し及びキャリア有りの２種類の湿式マスクを製造する必要がある場合、２つの異なる製造設備によって別々に製造する必要がある。即ち、従来技術においては、各作業ステーションの作業機能の共通性が考慮されていないため、製造工程においても好適な構成がされていない。このため、全体の製造設備中の各作業ステーションの装置構造及び製造工程が煩雑となり（特許文献２４の図２〜図４を参照）、占有される体積が大きい。また、メーカーは、同一の製造設備に簡単な置換又は増設を行い、キャリア無し又はキャリア有りの２種類の湿式マスクを選択的に製造することができないため、設備及び製造コストが増加する上、成膜製造工程を連続して迅速に行うことができない。
【００１１】
上述の説明から分かるように、従来のアルギン酸塩類フィルムを有するキャリア無し又はキャリア有りの湿式マスクの連続成膜方法及び成膜製造設備には、解決が望まれる問題及び欠点が存在する。本発明は、従来技術における上述の問題及び欠点を有効に解決することができる技術を提供するものである。
【先行技術文献】
【特許文献】
【００１２】
【特許文献１】ＵＳ６，０８０，４２０
【特許文献２】ＵＳ６，２５８，９９５
【特許文献３】ＵＳ６，２０３，８４５
【特許文献４】ＵＳ６，２０１，１６４
【特許文献５】ＵＳ６，３７２，２４８
【特許文献６】ＵＳ６，３２６，５２４
【特許文献７】ＵＳ５，１４４，０１６
【特許文献８】ＵＳ５，２３０，８５３
【特許文献９】ＵＳ５，６２２，６６６
【特許文献１０】ＵＳ５，６６０，８５７
【特許文献１１】ＵＳ５，６７５，９５７
【特許文献１２】ＵＳ５，１４４，０１６
【特許文献１３】ＵＳ２００５／０２８７１９３
【特許文献１４】ＵＳ２０１０／０２２７１６４
【特許文献１５】ＧＢ９４１９５７２
【特許文献１６】ＧＢ９５０１５１４
【特許文献１７】ＧＢ９５１６９３０
【特許文献１８】ＰＣＴ／ＧＢ９５０２２８４（ＷＯ９６／１０１０６）
【特許文献１９】ＰＣＴ／ＧＢ９６０１７１９（ＷＯ９７／０３７１０）
【特許文献２０】ＰＣＴ／ＧＢ９７０１０９８（ＷＯ９７／３９７８１）
【特許文献２１】ＰＣＴ／ＤＫ９７００２９２（ＷＯ９８／０２１９６）
【特許文献２２】ＷＯ２００８／０７２８１７
【特許文献２３】ＷＯ０３０９２７５４
【特許文献２４】ＥＰ２１１１９２６Ａ１（ＷＯ２００８／００９０８９２，ＰＣＴ／ＪＰ２００８／０５０８２２）
【特許文献２５】ＪＰ２０１０−１８９３８６
【特許文献２６】ＷＯ９９／２０３７８Ａ１
【発明の概要】
【発明が解決しようとする課題】
【００１３】
本発明の第１の目的は、キャリア無しの湿式フィルムを連続して迅速に生産することができ、量産化及びコスト低下を実現することができる湿式フィルムの連続成膜製造設備を提供することにある。
本発明の第２の目的は、キャリア無し又はキャリア有りの湿式フィルムを連続して迅速に選択的に生産することができ、量産化及びコスト低下を実現することができる上、湿式フィルムの使用形態及び利便性を高めることができる湿式フィルムの連続成膜製造設備を提供することにある。
本発明の第３の目的は、フィルムの柔軟程度を選択又は制御することができる湿式フィルムの連続成膜製造設備を提供することにある。
本発明の第４の目的は、キャリア無しの湿式フィルムの連続成膜製造工程を完了することができる湿式フィルムの連続成膜方法を提供することにある。
本発明の第５の目的は、キャリア有りの湿式フィルムの連続成膜製造工程を完了することができる湿式フィルムの連続成膜方法を提供することにある。
【課題を解決するための手段】
【００１４】
上述の課題を解決するために、本発明の湿式フィルムの連続成膜製造設備には、少なくとも１つの循環式コンベアが使用されることにより、少なくとも１つの上面に平坦面を有する上、搬送方向に沿って入口端（前端）から出口端（後端）に移動する循環式載置面が構成される。載置面上には、載置面と共に後方に同期移動する吸水性を有する下布層が設置される。下布層には、各成膜材料（固定液、コロイドなど）が載置されて成膜作業が行われる。載置面の前方又は上方には、下布層上に第１の固定液層を塗布する第１の固定液塗布装置と、第１の固定液層上にコロイド層を塗布して下方から上方への架橋（ｃｒｏｓｓｌｉｎｋｉｎｇ）及び硬化（ｃｕｒｉｎｇ）を行うコロイド塗布装置と、コロイド層上に第２の固定液層を塗布し、上方から下方への架橋及び硬化の大部分を行う第２の固定液塗布装置と、が入口端から出口端の方向に順番に設置される。これにより、下布層の上表面には、載置面と共に同期移動する過程において、好適な厚さのフィルムが形成される。これにより、キャリア無しの湿式フィルムの連続成膜製造工程を構成することができ、キャリア無しの湿式フィルムを連続して迅速に生産することができ、量産化及びコスト低下を実現することができる。
【００１５】
上述の課題を解決するために、本発明の湿式フィルムの連続成膜製造設備は、コロイド塗布装置と第２の固定液塗布装置との間に、上布層をコロイド層上に貼設する上布層導入装置が更に設置される。コロイド層上に上布層が貼設された後、第２の固定液層が上布層上に塗布されることにより、上布層は、架橋及び硬化の後、第２の固定液層とコロイド層との間に挟設される。これにより、下布層の上表面には、載置面と共に同期移動する過程において、好適な厚さである上、上布層を含むフィルムが形成される。これにより、本来のキャリア無しの湿式フィルムの連続成膜製造工程をキャリア有りの湿式フィルムの連続成膜製造工程に変換することができ、キャリア無し又はキャリア有りの湿式フィルムを連続して迅速に選択的に生産することができ、量産化及びコスト低下を実現することができる上、湿式フィルムの使用形態及び利便性を高めることができる。
【００１６】
上述の課題を解決するために、本発明の湿式フィルムの連続成膜製造設備には、第２の固定液塗布装置の後方に架橋作用制御領域が設置される。これにより、第２の固定液塗布装置を通過した後の湿式フィルムは、架橋作用中止領域によって提供される洗浄作業により、フィルム中の固定液とコロイドとの間の架橋作業を制御（例えば、停止）することができる。これにより、製造時、フィルムの柔軟程度を選択又は制御することができる。
【００１７】
上述の課題を解決するために、本発明の湿式フィルムの連続成膜方法は、成膜作業のプラットフォームとされる少なくとも１つの循環式載置面を準備し、載置面は、上面に平坦面を有する上、搬送方向に沿って入口端から出口端方向に循環移動するステップ１と、吸水性を有する下布層を準備し、下布層には、載置面上において、載置面と共に後方に同期移動する際、固定液及びコロイドなどの各成膜材料が載置され、成膜作業が行われるステップ２と、下布層上に第１の固定液層を塗布する第１の固定液塗布装置を準備するステップ３と、第１の固定液層上にコロイド層を塗布し、下方から上方への架橋及び硬化を行うコロイド塗布装置を準備するステップ４と、コロイド層上に第２の固定液層を塗布して上方から下方への架橋及び硬化作用の大部分を行う第２の固定液塗布装置を準備するステップ５と、を含む。これにより、下布層が載置面と共に同期移動する過程において、下布層の上表面上に好適な厚さのフィルムが除々に形成され、キャリア無しの湿式フィルムの連続成膜製造工程を完了することができる。
【００１８】
上述の課題を解決するために、本発明の湿式フィルムの連続成膜方法は、成膜作業のプラットフォームとされる少なくとも１つの循環式載置面を準備し、載置面は、上面に平坦面を有する上、搬送方向に沿って入口端から出口端方向に循環移動するステップ１と、吸水性を有する下布層を準備し、下布層には、載置面上において、載置面と共に同期搬送される際、各成膜材料が載置され、成膜作業が行われるステップ２と、下布層上に第１の固定液層を塗布する第１の固定液塗布装置を準備するステップ３と、第１の固定液層上にコロイド層を塗布し、下方から上方への架橋及び硬化を行うコロイド塗布装置を準備するステップ４と、コロイド層上に貼設される上布層を準備するステップ５と、上布層上に第２の固定液層を塗布して上方から下方への架橋及び硬化作用の大部分を行うことにより、上布層を第２の固定液層とコロイド層との間に挟設する第２の固定液塗布装置を準備するステップ６と、を含む。これにより、下布層が載置面と共に同期移動する過程において、下布層の上表面上に好適な厚さである上、上布層を含むフィルムが除々に形成され、キャリア有りの湿式フィルムの連続成膜製造工程を完了することができる。
【００１９】
本発明の一実施形態中、下布層は、循環式コンベアの載置面表面上に可動方式で設置される。下布層は、帯状であり、ロール状に巻かれて循環式コンベアの前方に設けられる。これにより、下布層は、循環式コンベアの載置面の入口端から載置面上に連続して搬送されて進入する。連続する下布層には、載置面と共に同期移動する際に各成膜材料が載置される。これにより、連続する下布層の表面上に成膜作業が行われる。成膜作業が完了した後、連続する下布層は、成膜されたフィルムを支持し続け、後続作業が行われる作業ステーションまで載置し続ける。
【００２０】
本発明の一実施形態中、下布層は、循環式コンベアの載置面表面上に固定方式で設置される。下布層は、吸水性を有し、循環式コンベアの載置面表面上に直接設置され、載置面と共に同期移動する。下布層には、各成膜材料が載置され、循環式コンベアの載置面の下布層表面上において成膜作業が行われることにより、帯状のフィルムが形成される。フィルムの成膜作業が完了した後、下布層は、循環式コンベアの載置面と共に循環回転し、成膜された帯状のフィルムは、載置面上の下布層と分離し、後方の後続作業ステーションに搬送される。
【００２１】
本発明の一実施形態中、循環式コンベアの循環式載置面の出口端の後方には、後続作業領域を設置することができる。後続作業領域には、少なくとも１つの循環式コンベアを使用することにより、搬送方向に沿って上面に循環式作業面が構成される。これにより、キャリア無し又はキャリア有りの湿式フィルムを後方に搬送して後続作業領域に進入させることにより、後続の加工工程を行うことができる。
【発明の効果】
【００２２】
本発明の湿式フィルムの連続成膜製造設備には、少なくとも１つの循環式コンベアが使用されることにより、少なくとも１つの上面に平坦面を有する上、搬送方向に沿って入口端（前端）から出口端（後端）に移動する循環式載置面が構成される。載置面上には、載置面と共に後方に同期移動する吸水性を有する下布層が設置される。下布層には、各成膜材料（固定液及びコロイドなど）が載置されて成膜作業が行われる。載置面の前方又は上方には、下布層上に第１の固定液層を塗布する第１の固定液塗布装置と、第１の固定液層上にコロイド層を塗布して下方から上方への架橋及び硬化を行うコロイド塗布装置と、コロイド層上に第２の固定液層を塗布し、上方から下方への架橋及び硬化の大部分を行う第２の固定液塗布装置と、が入口端から出口端の方向に順番に設置される。下布層が載置面と共に同期移動する過程において、下布層の上表面に好適な厚さのフィルムが形成される。これにより、キャリア無しの湿式フィルムの連続成膜製造工程を構成することができ、キャリア無しの湿式フィルムを連続して迅速に生産することができ、量産化及びコスト低下を実現することができる。また、本発明の湿式フィルムの連続成膜製造設備は、コロイド塗布装置と第２の固定液塗布装置との間に、上布層をコロイド層上に貼設する上布層導入装置が更に設置される。コロイド層上に上布層が貼設された後、第２の固定液層が上布層上に塗布されることにより、上布層は、架橋及び硬化の後、第２の固定液層とコロイド層との間に挟設される。これにより、下布層の上表面には、載置面と共に同期移動する過程において、好適な厚さである上、上布層を含むフィルムが形成される。これにより、本来のキャリア無しの湿式フィルムの連続成膜製造工程をキャリア有りの湿式フィルムの連続成膜製造工程に変換することができ、キャリア無し又はキャリア有りの湿式フィルムを連続して迅速に選択的に生産することができ、量産化及びコスト低下を実現することができる上、湿式フィルムの使用形態及び利便性を高めることができる。また、本発明の湿式フィルムの連続成膜製造設備は、第２の固定液塗布装置の後方に架橋作用制御領域が設置されることにより、第２の固定液塗布装置を通過した後の湿式フィルムは、架橋作用中止領域によって提供される洗浄作業により、フィルム中の固定液とコロイドとの間の架橋作業を制御（例えば、停止）することができる。これにより、製造時、フィルムの柔軟程度を選択又は制御することができる。
【図面の簡単な説明】
【００２３】
【図１】本発明の湿式フィルム（キャリア無し）の連続成膜製造設備の第１実施形態を示す側面図である。
【図２】本発明の湿式フィルム（キャリア有り）の連続成膜製造設備の第２実施形態を示す側面図である。
【図３】本発明の湿式フィルム（キャリア無し）の連続成膜製造設備の第３実施形態を示す側面図である。
【図４】本発明の湿式フィルム（キャリア有り）の連続成膜製造設備の第４実施形態を示す側面図である。
【図５】本発明の湿式フィルム（キャリア有り）の連続成膜製造設備の第５実施形態を示す側面図である。
【図６】本発明の湿式フィルム（キャリア無し）の連続成膜製造設備の第６実施形態を示す側面図である。
【図７】本発明の湿式フィルム（キャリア無し）の連続成膜製造設備の第７実施形態を示す側面図である。
【図８】本発明の湿式フィルム（キャリア有り）の連続成膜製造設備の第８実施形態を示す側面図である。
【図９】本発明の湿式フィルム（キャリア有り）の連続成膜製造設備の第９実施形態を示す側面図である。
【発明を実施するための形態】
【００２４】
説明の都合上、図１〜図９に示す本発明の第１〜第９実施形態は、何れも側面図を示し、本発明の湿式フィルムの連続成膜製造設備の成膜製造工程の進行方向（即ち、搬送方向）は、図１〜図９の左側から右側とする。また、図１〜図９の左側は、前方と定義し、図１〜図９の右側は、後方と定義し、図１〜図９の表面に垂直の方向は、幅と定義する。また、説明の都合上、成膜製造工程中に形成される下布層２０、第１の固定液層３１、コロイド層４１、第２の固定液層５１及び上布層８１は、何れも、分離しているが積層されている線で示すが、実際の下布層２０、第１の固定液層３１、コロイド層４１、第２の固定液層５１及び上布層８１間は、架橋作用によって一体に連結されたり、塗布（噴霧、浸漬など）によって一体に貼合されたりする。即ち、実際の各層間には、図面に示すような隙間が存在しない。
【００２５】
図１に示すように、本発明の湿式フィルムの連続成膜の製造設備は、主に、上面に少なくとも１つの載置面１１を有する少なくとも１つの循環式コンベア１０と、吸水性を有する下布層２０と、載置面１１の上方又は前方に設置され、載置面１１の搬送方向に沿って入口端１２から出口端１３の方向に順番に設置される第１の固定液塗布装置３０と、コロイド塗布装置４０と、第２の固定液塗布装置５０と、を含む。循環式コンベア１０の形態は、限定されない。載置面１１は、循環式コンベア１０の形態に応じて構造が異なり、例えば、ＰＶＣコンベア、ＰＵコンベア、テフロン（登録商標）コンベア、ベルトコンベアなどの連続面を有する構造や、ローラコンベア、チェーンコンベアなどの連続面を有さない構造を含み、何れの形態のコンベアの場合でも、載置面１１と称し、図面中、太い点線で示す。また、少なくとも１つの循環式コンベア１０は、少なくとも１つの載置面１１を有するが、循環式コンベア１０の搬送方式は、限定されず、複数の循環式コンベア１０を使用することによって同数の複数の載置面１１を構成したり、複数の循環式コンベア１０を連結して１つの載置面１１を構成したり、１つの循環式コンベア１０を使用することによって複数の載置面１１を構成したりすることができる。
【００２６】
本発明においては、少なくとも１つの循環式コンベア１０を使用することにより、少なくとも１つの循環式載置面１１を構成し、載置面１１をフィルム形成の作業プラットフォーム（即ち、湿式フィルムを連続形成する作業面）とする。循環式載置面１１は、上方に平坦面を有する上、搬送方向に沿って入口端１２から出口端１３の方向に循環移動する。循環式コンベア１０は、適当な長さ（搬送方向に沿った前方から後方への長さ）及び幅（搬送方向と垂直の水平方向）を有する。このため、循環式載置面１１は、湿式フィルムを形成する作業面とされる適当な長さ及び幅を有する。また、載置面１１の表面上には、可動方式（図１〜図４参照）又は固定方式（図５参照）により、載置面１１と共に同期移動する吸水性を有する下布層２０が載置される。これにより、下布層２０には、載置面１１と共に同期移動する過程において、固定液３１，５１（例えば、塩類化合物）及びコロイド４１（例えば、アルギン酸）などの各成膜材料を載置することができる（図１参照）。これにより、下布層２０が載置面１１と共に同期移動する過程において、下布層２０の上表面に適当な厚さのフィルムが連続して迅速に形成される。即ち、下布層２０上に成膜作業が行われる。
【００２７】
（第１実施形態）
図１に示すように、下布層２０は、連続する帯状の布である（これに限定されない）。下布層２０は、ロール状に巻かれて下布層２０の供給源２１とされ、入口端１２から循環式載置面１１上に進入させ、下布層２０を連続して供給することができる。また、連続する下布層２０を載置面１１の表面上に平坦に貼設することができ（図１中、下布層２０及び載置面１１の表面は、分離した２本の線で示す）、載置面１１と共に同期移動することができ、最後に、載置面１１の出口端１３から後方に排出されて載置面１１を離れる。連続する下布層２０は、排出された後、予め準備された後続作業設備７０に搬送されて後続作業が行われる。後続作業は、例えば、自動化又は手動のマスク裁断装置７１、他の循環式コンベア７２など（これに限定されない）によって構成される裁断作業ステーションによって行われ、連続する下布層２０上に形成された湿式フィルムを単一のマスクの形状に裁断することができる。或いは、収納整理作業ステーション又は包装作業ステーションなどの他の機能の作業ステーションを設置することができる。後続作業設備７０は、必要に応じて様々な機能の装置又は作業ステーションを構成し、様々な後続作業を行うことができるが、本発明の重点ではないため、ここでは説明しない。
【００２８】
第１の固定液塗布装置３０は、載置面１１と共に同期移動する下布層２０上に第１の固定液層３１を塗布するために用いられる。本発明の第１実施形態中、第１の固定液塗布装置３０は、載置面１１の上方に設けられるが、これに限定されず、例えば、第１の固定液塗布装置３０は、載置面１１の前方に設けてもよい（図４参照）。また、一般の湿式マスクの形状（人の顔部の形状）又は構造に関して述べると、第１の固定液層３１は、下布層２０上に均一に塗布されるが、これに限定されず、例えば、湿式マスクが特殊構造又は特殊形状を有する場合（顔部上半部又は顔部下半部のみを被覆する形状）、下布層２０上に均一ではなく、特定領域にのみ塗布作業を行うことができる。また、本発明の塗布作業とは、第１の固定液層３１を下布層２０上に形成することであるが、塗布作業に用いられる作業方式は、限定されない（噴霧方式、浸漬方式又はその組み合わせ）。図１中の第１の固定液塗布装置３０においては、噴霧方式で塗布を行う。
【００２９】
図１に示すように、コロイド塗布装置４０は、第１の固定液塗布装置３０の後方に設置される。第１の固定液層３１が下布層２０上に塗布された上、載置面１１と共に後方のコロイド塗布装置４０の作業範囲まで同期移動すると、コロイド塗布装置４０は、第１の固定液層３１上に適当な厚さのコロイド層４１を塗布する。コロイド層４１が第１の固定液層３１上に塗布された後、コロイド層４１、第１の固定液層３１及び下布層２０は、継続して載置面１１と共に後方に同期移動する。移動過程において、先に塗布された第１の固定液層３１は、下方から上方にコロイド層４１と架橋（ｃｒｏｓｓｌｉｎｋｉｎｇ）を行い、除々に硬化（ｃｕｒｉｎｇ）してフィルム状になる。
【００３０】
また、第１実施形態においては、先に第１の固定液層３１が下布層２０上に塗布された後、第１の固定液層３１上にコロイド層４１が塗布される。このため、第１の固定液層３１は、先に下布層２０に接触し、下布層２０の上表面（又は上下表面）から内層中に浸入する。実際の架橋作用に関して述べると、第１の固定液層３１（２価金属イオンを有する）の上表面がコロイド層４１に接触すると、架橋が即座に発生する上、硬化が始まり、両者間の接触面に薄膜フィルムが即座に形成される。この際、薄膜フィルムが遮蔽面となるため、コロイド層４１が下布層２０の上表面（又は上下表面）から内層中に浸入し、架橋作用が継続して発生するのを阻止することができる。即ち、先に下布層２０の上表面上の第１の固定液層３１がコロイド層４１の方向（下方から上方）に対して架橋を行うが、コロイド層４１が下布層２０の上表面から下布層２０の内層（上方から下方）に浸入することはない。これにより、下布層２０の上表面上には、湿式フィルム（即ち、網構造を有する親水コロイド型配位化合物膜層）を形成することができる。また、湿式フィルムは、下布層２０から簡単に分離するため、形成される湿式フィルム３１,４１は、使用時、下布層２０から簡単に分離させることができる。このため、本発明においては、キャリア無しの湿式フィルムと見なす。
【００３１】
図１に示すように、第２の固定液塗布装置５０は、コロイド塗布装置４０の後方に設置される。コロイド層４１が第１の固定液層３１上に塗布された上、下布層２０と共に載置面１１上において後方の第２の固定液塗布装置５０の作業範囲まで同期移動すると、第２の固定液塗布装置５０は、コロイド層４１上に第２の固定液層５１を塗布する。第２の固定液層５１がコロイド層４１上に塗布された後、第２の固定液層５１、コロイド層４１、第１の固定液層３１及び下布層２０（一体に接着されると見なすことができる）は、載置面１１と共に後方に同期移動する。また、移動過程において、塗布された第２の固定液層５１は、上方から下方にコロイド４１と架橋を行う上、除々に硬化してフィルム状態となる。即ち、コロイド層４１は、第１の固定液層３１により、下方から上方に架橋を行う上、第２の固定液層５１により、上方から下方に架橋を行い、載置面１１と共に後方に同期移動する下布層２０上において除々に硬化し、適当な厚さのフィルム１００（３１,４１,５１）が形成される。これにより、コロイド層４１がフィルム状態を形成する時間が短縮される。即ち、硬化後のフィルム１００（３１,４１,５１）は、第１の固定液層３１及び第２の固定液層５１と中間のコロイド層との間の架橋作用によって形成されるため、図１中の硬化後のフィルム１００は、符号（３１,４１,５１）によって示す。またフィルム１００（３１,４１,５１）は、載置面１１と共に後方に移動する下布層２０上に連続して形成されるため、実際に製作する際、フィルム１００（３１,４１,５１）と下布層２０とが密着されて連続式帯１０１（２０,３１,４１,５１）が形成される上、載置面１１と共に同期移動し、その後、載置面１１の出口端１３から後方に排出され、載置面１１を離れて後続作業が行われる。載置面１１を離れる際、フィルム１００（３１,４１,５１）と下布層２０とが密着されて連続式帯１０１（２０,３１,４１,５１）が形成されるため、図１中の連続式帯１０１は、符号（２０,３１,４１,５１）によって示す。しかし、ユーザが使用する際、フィルム１００（３１,４１,５１）は、下布層２０から簡単に分離することができるため、本発明の第１実施形態は、キャリア無しの湿式フィルムの連続成膜製造工程を示す。本発明の第１実施形態により、キャリア無しの湿式フィルム１００（３１,４１,５１）を連続して迅速に生産することができるため、量産化及びコスト低下を実現することができる。
【００３２】
また、第１の固定液層３１又は第２の固定液層５１の主要材料は、フィルム形成に必要な塩類化合物などの固定液である。しかし、実際に製作する際、第１の固定液層３１及び第２の固定液層５１の材料中、必要に応じ、マスクに美白、しわ防止などの効果を与える物質を加えたり、美容エッセンスなどの特殊成分を加えたりすることができる。
【００３３】
（第２実施形態）
図２を参照する。本発明の第２実施形態が図１に示す第１実施形態と異なる点を以下に示す。本発明の第２実施形態においては、第１実施形態中のコロイド塗布装置４０と第２の固定液塗布装置５０との間に上布層８１を供給する上布層導入装置８０が更に設置される。図２中の上布層８１は、先ず、コロイド層４１上に平坦に貼設された後又は同時に、上布層８１上に第２の固定液層５１が塗布される。先に上布層８１がコロイド層４１と接触するため、コロイド層４１は、上布層８１の下表面から内層中に浸入することができる。このため、第２の固定液層５１が内部にコロイド層４１が浸入した上布層８１上に塗布されると、第２の固定液層５１は、上布層８１の上表面から内層中に浸入し、上布層８１の内層中に浸入したコロイド層４１と架橋を行う。このため、コロイド層４１は、第１の固定液層８１の下方から上方への架橋作用と、第２の固定液層５１の上方から下方への架橋作用と、により、第２の固定液層５１とコロイド層４１との間に上布層８１を挟設又は含むことができる。これにより、下布層２０の上表面上には、載置面１１と共に後方に同期移動する過程において、適当な厚さである上、上布層８１を含むフィルム１１０（３１,４１,８１,５１）が除々に形成される。これにより、キャリア有りの湿式フィルムの連続成膜製造工程が構成される。
【００３４】
第２実施形態中、上布層導入装置８０によって供給される上布層８１は、連続する帯状の布である（これに限定されない）。図２に示す連続する帯状の上布層８１は、ロール状に巻かれて上布層８１の供給源８２とされる。帯状の上布層８１は、連続して供給され、コロイド層４１上に平坦に貼設することができる。上布層導入装置８０は、ローラ８３などの他の機械部材又はローラセットなどの部材セットなどにより、上布層導入装置８０を操作する簡易性及び正確性を高め、上布層８１を簡単で正確にコロイド層４１上に平坦に貼設することができる。
【００３５】
また、本発明中、第２の固定液層５１が上布層８１上に塗布されるタイミングと、上布層８１がコロイド層４１上に平坦に貼設されるタイミングと、の間の前後順序は、特に限定されない。例えば、図２に示すように、上布層８１が先にコロイド層４１上に平坦に貼設された後（又は同時）、第２の固定液層５１が上方から下方への噴霧によって上布層８１上に塗布される場合、キャリア有りの湿式フィルムの連続成膜製造工程が構成される。しかし、図３に示すように、第２の固定液層５１が浸漬方式によって先に上布層８１上に塗布された後、第２の固定液層５１が塗布された上布層８１がコロイド層４１上に平坦に貼設される場合、上布層８１とコロイド層４１との間の接触面は、既に第２の固定液層５１を有するため、図３中は、上布層８１を有するが、上布層８１は、形成されたフィルム１１０（３１,４１,８１,５１）中から容易に分離することができる。このため、図３においては、キャリア無しの湿式フィルムの連続成膜製造工程が構成される。
【００３６】
図２に示すように、フィルム１１０は、第１の固定液層３１によって下方から上方にコロイド層４１と架橋を行い、第２の固定液層５１によって上布層８１を介して上方から下方にコロイド層４１と架橋を行うことによって形成されるため、形成された後のフィルム１１０（３１,４１,８１,５１）中の上布層８１は、フィルム１１０（３１,４１,８１,５１）中から分離しにくい。このため、第２実施形態（図２参照）のフィルム１１０（３１,４１,８１,５１）は、上布層８１を含む上、一体に形成され、載置面１１と共に後方に同期移動する下布層２０上に連続して形成される。このことから分かるように、実際に製作する際、フィルム１１０（３１,４１,８１,５１）及び下布層２０が接着されて連続式帯１１１（２０,３１,４１,８１,５１）が形成される。図２に示すように、連続式帯１１１（２０,３１,４１,８１,５１）は、載置面１１と共に同期移動し、載置面１１の出口端１３から後方に排出され、載置面１１を離れて後続作業が行われる。即ち、後続作業が行われる際、フィルム１１０（３１,４１,８１,５１）と下布層２０との接着状態が保持されるため、連続式帯１１１（２０,３１,４１,８１,５１）が形成される。しかし、実際に使用する際（例えば、マスクの形態に裁断された際）、フィルム１１０（３１,４１,８１,５１）は、下布層２０から容易に分離することができる。しかし、第２実施形態のフィルム１１０（３１,４１,８１,５１）は、上布層８１を含むため、本発明においては、キャリア有りの湿式フィルムと見なす。即ち、本発明の第２実施形態においては、キャリア有りの湿式フィルムの連続成膜製造工程が構成され、キャリア有りの湿式フィルム１１０（３１,４１,８１,５１）を連続して迅速に生産することができ、量産化及びコスト低下を実現することができる。
【００３７】
また、上布層導入装置８０を設置して上布層８１を供給することにより、キャリア無しの湿式フィルムの連続成膜製造工程（図１に示す第１実施形態）をキャリア有りの湿式フィルムの連続成膜製造工程（図２に示す第２実施形態）に変更することができる。このため、メーカーは、ユーザの要求に応じ、キャリア無しの湿式フィルム又はキャリア有りの湿式フィルムの生産を簡単に選択することができる。これにより、量産化及びコスト低下を実現することができる上、湿式フィルムのユーザ側における選択性を高め、使用上の利便性を高めることができる。
【００３８】
図１及び図２に示すように、本発明においては、第２の固定液塗布装置５０の後方には、架橋作用制御領域６０を設置することができる。架橋作用制御領域６０は、少なくとも１つの架橋作用制御装置６０（これに限定されない）を含む。図１〜図５中の架橋作用制御領域６０は、それぞれ３つ及び２つの噴霧（吹き付け）式の架橋作用制御装置６０を含み、それぞれ載置面１１（又は下布層２０）の上面及び下面（これに限定されない）に設けられる。架橋作用制御領域６０（又は架橋作用制御装置６０）の主な機能は、形成された後のフィルム１００（３１,４１,５１）（図１参照）又は１１０（３１,４１,８１,５１）（図２参照）に対して洗浄作業を行うことである。これにより、架橋が行われて除々に硬化するフィルム１００（３１,４１,５１）又は１１０（３１,４１,８１,５１）は、架橋作用制御領域６０が提供する洗浄作業によって洗浄されるか、或いは、固定液層３１,５１とコロイド層４１との間の架橋作用が停止される。即ち、架橋作用が完了していない一部の固定液３１,５１が洗浄される（純水が使用される場合）か、或いは、固定液層３１,５１とコロイド層４１との間の架橋作用が直接中止される（架橋作用中止液が使用される場合）。第２の固定液層５１とコロイド層４１との間の架橋及び硬化作用の程度が制御又は中止される（例えば、架橋作用制御領域６０の洗浄時間を調整したり、移動工程の長さを調整したりする）ことにより、固定液層３１,５１中の一部の固定液３１,５１を洗浄し、これにより、固定液層３１,５１とコロイド層４１との間の架橋及び硬化の時間及び程度を減少させ、過度に硬化するのを防ぐことができる。これにより、形成されるフィルム１００（３１,４１,５１）又は１１０（３１,４１,８１,５１）の柔軟性を高めることができる。
【００３９】
また、架橋作用制御領域６０の架橋作用制御液６１は、純水を使用することによって洗浄作業を行ったり、架橋作用中止液を使用することによって固定液層３１，５１とコロイド層４１との間の架橋作用を停止したりすることができる（これに限定されない）。また、実施に製作する際、架橋作用制御領域６０に使用される架橋作用制御液６１（例えば、純水又は架橋作用中止液）中、必要に応じ、マスクに美白、しわ防止などの効果を与える物質を加えたり、美容エッセンスなどの特殊成分を加えたりすることができる。
【００４０】
（第３実施形態）
図３に示すように、本発明の第３実施形態が図２に示す第２実施形態と異なる点を以下に示す。本発明の第３実施形態においては、第２実施形態中の第２の固定液塗布装置５０の塗布方式が同等効果を有する浸漬式の第２の固定液塗布装置５０ａに変更される。これにより、上布層導入装置８０によって供給される上布層８１は、先ず、浸漬式の第２の固定液塗布装置５０ａを通過する。図３中、浸漬式の第２の固定液塗布装置５０ａを通過した後の上布層８１上には、平行線で示す第２の固定液層５１が加えられるが、第２の固定液層５１は、上布層８１の表面上に浸漬される形態のみに限定されない。第３実施形態中、上布層８１は、フィルム１１０（３１,４１,８１,５１）から簡単に分離することができるため、図３に示す実施形態においては、キャリア無しの湿式フィルムの連続成膜製造工程が構成される。
【００４１】
（第４実施形態）
図４に示すように、本発明の第４実施形態が図２に示す第２実施形態と異なる点を以下に示す。本発明の第４実施形態においては、第２実施形態中の第１の固定液塗布装置３０の塗布方式が同等効果を有する浸漬式の第１の固定液塗布装置３０ａに変更される。これにより、下布層導入装置２１によって供給される下布層２０は、先ず、浸漬式の第１の固定液塗布装置３０ａを通過する。図４中、浸漬式の第１の固定液塗布装置３０ａを通過した後の下布層２０上には、平行線で示す第１の固定液層３１が加えられるが、第１の固定液層３１は、下布層２０の上表面上に浸漬される形態のみに限定されない。これにより、第４実施形態においても図２に示す第２実施形態（又は第１実施形態）中の下布層導入装置２１の使用機能及び使用目的を達成することができる。即ち、第１の固定液塗布装置３０ａは、載置面１１と共に後方に同期移動する下布層２０上に第１の固定液層３１を塗布することができる。
【００４２】
（第５実施形態）
図５に示すように、本発明の第５実施形態が第１実施形態〜第４実施形態と異なる点を以下に示す。本発明の第１実施形態〜第４実施形態中の載置面１１の表面には、可動方式（図１〜図４参照）によって載置面１１と共に後方に同期移動する吸水性を有する下布層２０が載置される。しかし、第５実施形態においては、載置面１１の表面に固定方式によって載置面１１と共に同期移動する吸水性を有する下布層２０が載置される。即ち、下布層２０は、循環式コンベア１０のすべての表面上に固定され、循環式コンベア１０と共に同期循環回転する。これにより、下布層２０が循環式コンベア１０と共に循環式コンベア１０の上表面まで回転すると、図１〜図４に示す循環式載置面１１のような湿式フィルムを連続形成する作業面が構成され、下布層２０の使用機能及び使用目的を達成することができる。実際に製作する際、第５実施形態中のフィルム１１０（３１,４１,８１,５１）は、架橋硬化中であれ、形成された後であれ、架橋作用制御領域６０を通過した後の洗浄作業中であれ、フィルム１１０（３１,４１,８１,５１）が載置面１１上に留まって後方に同期移動する際、フィルム１１０（３１,４１,８１,５１）は、下布層２０と接着されており、後方に同期移動する。しかし、フィルム１１０（３１,４１,８１,５１）が載置面１１の出口端１３から後方に排出され、載置面１１を離れると、フィルム１１０（３１,４１,８１,５１）は、下布層２０から分離し、連続式帯１１２（３１,４１,８１,５１）が形成され、後続作業が行われる（図５参照）。即ち、第５実施形態において、載置面１１の出口端１３から排出され、載置面１１を離れた連続式帯１１２（３１,４１,８１,５１）は、第２実施形態〜第４実施形態中の連続式帯１１１（２０,３１,４１,８１,５１）と異なる。即ち、第５実施形態において、下布層２０は、載置面１１上に固定されるため、連続式帯１１２（３１,４１,８１,５１）と共に後方に同期移動して後続作業が行われない。
【００４３】
第５実施形態中、下布層２０が循環式コンベア１０のすべての表面上に固定設置されるため、下布層２０は、循環式コンベア１０と共に同期循環回転する。また、すべての塗布作業は、開放状態で行われるため、フィルム１１０（３１,４１,８１,５１）が載置面１１（下布層２０）を離れる際、循環式載置面１１及び／又は下布層２０上には、成膜用材料（固定液３１，５１、コロイド４１、フィルム１１０など）の一部の残留物が存在し、次に形成される循環中のフィルム１１０（３１,４１,８１,５１）の成膜品質が影響を受ける虞がある。このため、スクレーパ９０によって循環式載置面１１又は下布層２０の残留物を掻き取ったり、洗浄したりすることにより、フィルム１１０（３１,４１,８１,５１）の成膜品質が影響を受けるのを防止する。
【００４４】
また、本発明の第４実施形態及び第５実施形態は、第２実施形態（キャリア有りの湿式フィルムの連続成膜製造設備及びその製造工程）と同等効果を有する変更によって実現されるが、これに限定されない。即ち、本発明の第４実施形態及び第５実施形態で使用される技術及び特徴は、第１実施形態（キャリア無しの湿式フィルムの連続成膜製造設備及びその製造工程）にも適用される。
【００４５】
（第６実施形態）
図６に示すように、本発明の第６実施形態が第１実施形態と異なる点を以下に示す。本発明の第６実施形態においては、第１実施形態中の噴霧式の第２の固定液塗布装置５０が同等効果を有する浸漬式の第２の固定液塗布装置５０ａに変更される。これにより、コロイド層４１が第１の固定液層３１上に塗布された後、第１の固定液層３１、コロイド層４１及び下布層２０が組み合わされて集合体（２０,３１,４１）が形成され、継続して後方に同期移動され、浸漬式の第２の固定液塗布装置５０ａを通過する。図６中、浸漬式の第２の固定液塗布装置５０ａを通過した後のコロイド層４１上には、平行線で示す第２の固定液層５１が加えられるが、第２の固定液層５１は、コロイド層４１の上表面上に浸漬される形態のみに限定されない。第６実施形態の浸漬式の第２の固定液塗布装置５０ａによっても、図１に示す第１実施形態中の第２の固定液塗布装置５０の使用機能及び使用目的を達成することができる。即ち、浸漬式の第２の固定液塗布装置５０ａは、後方に同期移動する集合体（２０,３１,４１）上に第２の固定液層５１を塗布することができる。
【００４６】
また、第６実施形態中、載置面１１は、２段階式の載置面１１と見なすことができる。各載置面１１は、浸漬式の第２の固定液塗布装置５０ａの前後にそれぞれ設けられる。また、載置面１１は、２つに分割された載置面１１と見なすことができ、２つの分割された循環式コンベア１０によって２つの分割された載置面１１が構成される。しかし、本発明の載置面１１は、２段階式の載置面１１であれ、２つに分割された載置面１１であれ、何れも本発明の範囲に含まれる。
【００４７】
（第７実施形態）
図７に示すように、本発明の第７実施形態が第１実施形態と異なる点を以下に示す。本発明の第７実施形態においては、第１実施形態中の噴霧（吹き付け）式の架橋作用制御領域６０が同等効果を有する浸漬式の架橋作用制御領域６０ａに変更される。フィルム１００（３１,４１,５１）及び下布層２０によって構成される集合体（２０,３１,４１,５１）は、載置面１１と共に後方に同期移動し、載置面１１を離れた後、継続して後方に移動し、浸漬式の架橋作用制御領域６０ａを通過する。図７中の浸漬式の架橋作用制御領域６０ａは、架橋作用制御液６１によってフィルム１００（３１,４１,５１）中に残留する固定液層３１,５１及び／又はコロイド層４１を洗浄したり、相互間の架橋作用を直接中止したりする。これにより、図１に示す第１実施形態中の噴霧（吹き付け）式の架橋作用制御領域６０の使用機能及び使用目的を達成することができる。
【００４８】
（第８実施形態）
図８に示すように、本発明の第８実施形態が図２に示す第２実施形態と異なる点を以下に示す。本発明の第８実施形態においては、第２実施形態中の噴霧式の第２の固定液塗布装置５０が同等効果を有する浸漬式の第２の固定液塗布装置５０ｂに変更される。コロイド層４１が第１の固定液層３１上に塗布され、上布層８１がコロイド層４１上に平坦に貼設された後、第１の固定液層３１、コロイド層４１、上布層８１及び下布層２０が組み合わされて集合体（２０,３１,４１,８１）が形成され、載置面１１と共に継続して後方に同期移動され、浸漬式の第２の固定液塗布装置５０ｂを通過する。図８中、浸漬式の第２の固定液塗布装置５０ｂを通過した後のコロイド層４１上には、平行線で示す第２の固定液層５１が加えられるが、第２の固定液層５１は、コロイド層４１の上表面に浸漬される形態のみに限定されない。これにより、第８実施形態の浸漬式の第２の固定液塗布装置５０ｂも図２に示す第２実施形態中の第２の固定液塗布装置５０（又は第６実施形態中の第２の固定液塗布装置５０ａ）の使用機能及び使用目的を達成することができる。即ち、浸漬式の第２の固定液塗布装置５０ｂは、載置面１１と共に後方に同期移動する集合体（２０,３１,４１,８１）上に第２の固定液層５１を塗布することができる。また、第８実施形態中の載置面１１の構造形態は、第６実施形態中の２段階式の載置面１１又は２つの載置面１１に類似する。
【００４９】
（第９実施形態）
図９に示すように、本発明の第９実施形態が第２実施形態と異なる点を以下に示す。本発明の第９実施形態においては、第２実施形態中の噴霧（吹き付け）式の架橋作用制御領域６０が同等効果を有する浸漬式の架橋作用制御領域６０ｂに変更される。これにより、フィルム１００（３１,４１,８１,５１）及び下布層２０は、載置面１１と共に後方に同期移動し、載置面１１を離れた後、継続して後方に移動し、浸漬式の架橋作用制御領域６０ｂを通過する。図９中の浸漬式の架橋作用制御領域６０ｂは、架橋作用制御液６１によってフィルム１１０（３１,４１,８１,５１）中に残留する固定液層３１，５１又はコロイド層４１を洗浄したり、相互間の架橋作用を直接中止したりすることができる。これにより、図２に示す第２実施形態中の噴霧（吹き付け）式の架橋作用制御領域６０又は第７実施形態中の浸漬式の架橋作用制御領域６０ａの使用機能及び使用目的を達成することができる。
【００５０】
上述の湿式フィルムの連続成膜製造設備を使用することにより、本発明は、キャリア無しの湿式フィルムの連続成膜方法を提供する。本発明のキャリア無しの湿式フィルムの連続成膜方法は、以下ステップ１〜ステップ５を含む。
【００５１】
ステップ１：成膜作業のプラットフォームとされる少なくとも１つの循環式載置面を準備する。載置面は、上面に平坦面を有する上、搬送方向に沿って入口端から出口端方向に循環移動する。
【００５２】
ステップ２：吸水性を有する下布層を準備する。下布層には、載置面上において、載置面と共に同期移動する際、各成膜材料が順番に載置され、これにより、成膜作業が行われる。
【００５３】
ステップ３：下布層上に第１の固定液層を塗布する第１の固定液塗布装置を準備する。第１の固定液塗布装置は、噴霧方式又は浸漬方式によって下布層上に第１の固定液層を塗布する。
【００５４】
ステップ４：第１の固定液層上にコロイド層を塗布し、第１の固定液層と架橋及び硬化を行うコロイド塗布装置を準備する。
【００５５】
ステップ５：コロイド層上に第２の固定液層を塗布し、コロイド層と架橋及び硬化を行う第２の固定液塗布装置を準備する。第２の固定液塗布装置は、噴霧方式又は浸漬方式によってコロイド層上に第２の固定液層を塗布する。これにより、下布層が載置面と共に同期移動する過程において、下布層の上表面上に好適な厚さのフィルムを形成することができ、キャリア無しの湿式フィルムの連続成膜製造工程が完了する。
【００５６】
上述のステップ５の後には、ステップ６を含むことができる。ステップ６：下布層上に除々に形成されるフィルム中において行われる架橋作用を制御する架橋作用制御領域を準備する。架橋作用制御領域は、少なくとも１つの架橋作用制御液が使用される上、噴霧方式又は浸漬方式により、洗浄を行うか、或いは、第２の固定液層及び／又は第１の固定液層とコロイド層との間の架橋作用を中止させる。
【００５７】
上述の湿式フィルムの連続成膜製造設備を使用することにより、本発明は、キャリア有りの湿式フィルムの連続成膜方法を提供する。本発明のキャリア有りの湿式フィルムの連続成膜方法は、以下ステップ１〜ステップ６のステップを含む。
【００５８】
ステップ１：成膜作業のプラットフォームとされる少なくとも１つの循環式載置面を準備する。載置面は、上面に平坦面を有する上、搬送方向に沿って入口端から出口端方向に循環移動する。
【００５９】
ステップ２：吸水性を有する下布層を準備する。下布層には、載置面上において、載置面と共に同期移動する際、各成膜材料が順番に載置され、これにより、成膜作業が行われる。
【００６０】
ステップ３：下布層上に第１の固定液層を塗布する第１の固定液塗布装置を準備する。第１の固定液塗布装置は、噴霧方式又は浸漬方式によって下布層上に第１の固定液層を塗布する。
【００６１】
ステップ４：第１の固定液層上にコロイド層を塗布し、第１の固定液層と架橋及び硬化を行うコロイド塗布装置を準備する。
【００６２】
ステップ５：コロイド層上に貼設される上布層を準備する。
【００６３】
ステップ６：上布層上に第２の固定液層を塗布し、コロイド層と架橋及び硬化を行う第２の固定液塗布装置を準備する。第２の固定液塗布装置は、噴霧方式又は浸漬方式によって上布層上に第２の固定液層を塗布する。これにより、上布層は、第２の固定液層とコロイド層との架橋作用によって第２の固定液層とコロイド層との間に挟設される。これにより、下布層が載置面と共に同期移動する過程において、下布層の上表面上に好適な厚さである上、上布層を含むフィルムが形成され、キャリア有りの湿式フィルムの連続成膜製造工程が完了する。
【００６４】
上述のステップ６の後には、ステップ７を含むことができる。ステップ７：下布層上に除々に形成されるフィルム中において行われる架橋作用を制御する架橋作用制御領域を準備する。架橋作用制御領域は、少なくとも１つの架橋作用制御液が使用される上、噴霧方式又は浸漬方式により、洗浄を行うか、或いは、第２の固定液層及び／又は第１の固定液層とコロイド層との間の架橋作用を中止させる。
【００６５】
上述の説明は、本発明の技術特徴を示す好適な実施形態を説明したものである。当業者は、本発明の主旨を逸脱しない範囲において変更および修飾を行うことができ、これらの変更および修飾は、本発明の特許請求の範囲に含まれる。
【符号の説明】
【００６６】
１０  循環式コンベア
１１  載置面
１２  入口端
１３  出口端
２０  下布層
２１  （下布層）供給源
３０  第１の固定液塗布装置
３１  第１の固定液層
４０  コロイド塗布装置
４１  コロイド層
５０  第２の固定液塗布装置
５１  第２の固定液層
６０  架橋作用制御領域
６１  架橋作用制御液
７０  後続作業設備
７１  マスク裁断装置
７２  循環式コンベア
８０  上布層導入装置
８１  上布層
８２  （上布層）供給源
８３  ローラ
９０  スクレーパ
１００  フィルム
１０１  連続式帯
１１０  フィルム
１１１  連続式帯
１１２  連続式帯
【図１】
0006010068.tif 000002
【図２】
0006010068.tif 000003
【図３】
0006010068.tif 000004
【図４】
0006010068.tif 000005
【図５】
0006010068.tif 000006
【図６】
0006010068.tif 000007
【図７】
0006010068.tif 000008
【図８】
0006010068.tif 000009
【図９】
0006010068.tif 000010